(57)【要約】【課題】利便性を損なうことなく、外部機器に対して情報を出力することができる測定器の提供。【解決手段】ノギス１は、タグ１２Ｅと、記憶部２１と、トリガ生成部２２とを備えている。外部機器３は、タグ１２Ｅをかざすことによって、タグ１２Ｅに記憶された情報を読み込むリーダ３１を備えている。記憶部２１は、ノギス１にて測定された少なくとも１つの測定値を記憶する。トリガ生成部２２は、ノギス１にて測定された測定値を記憶部２１に記憶させる契機となるトリガを生成する。タグ１２Ｅは、外部機器３のリーダ３１にかざすことによって、トリガ生成部２２にて生成されたトリガに基づいて記憶部２１に記憶された測定値を全て外部機器３に対して出力する。【選択図】図３
2015153135.tif 000002
【特許請求の範囲】
【請求項１】
外部機器に対して情報を出力する情報出力部を有する測定器であって、
前記情報出力部は、近距離無線通信を用いることによって、前記外部機器に対して情報を出力することを特徴とする測定器。
【請求項２】
請求項１に記載された測定器において、
前記情報出力部を有する制御手段を備え、
前記制御手段は、
前記測定器にて測定された少なくとも１つの測定値を記憶する記憶部と、
前記測定器にて測定された測定値を前記記憶部に記憶させる契機となるトリガを生成するトリガ生成部とを有し、
前記情報出力部は、前記トリガに基づいて前記記憶部に記憶された測定値を前記外部機器に対して出力することを特徴とする測定器。
【請求項３】
請求項２に記載された測定器において、
外部に露出して設けられたボタンを備え、
前記トリガ生成部は、前記ボタンが使用者に操作されることによって、前記トリガを生成することを特徴とする測定器。
【請求項４】
請求項２に記載された測定器において、
前記制御手段は、
音声の入力を受け付ける音声入力部を備え、
前記トリガ生成部は、前記音声入力部にて音声の入力を受け付けたことによって、前記トリガを生成することを特徴とする測定器。
【請求項５】
請求項２に記載された測定器において、
前記制御手段は、
所定の間隔で測定値の変動を観測する測定値観測部を備え、
前記トリガ生成部は、前記測定値観測部にて観測される測定値の変動が所定の期間ないことによって、前記トリガを生成することを特徴とする測定器。
【請求項６】
請求項２に記載された測定器において、
前記制御手段は、
時間を測定する時間測定部を備え、
前記トリガ生成部は、所定の時間が経過するごとに前記トリガを生成することを特徴とする測定器。
【請求項７】
請求項１から請求項６のいずれかに記載された測定器において、
前記情報出力部は、前記測定器の内部に設けられていることを特徴とする測定器。
【請求項８】
請求項１から請求項７のいずれかに記載された測定器において、
前記情報出力部は、前記外部機器に対して情報を出力することが可能な状態となったときに前記外部機器に対して情報を出力することを特徴とする測定器。
【発明の詳細な説明】
【技術分野】
【０００１】
本発明は、測定器に関し、特に外部機器に対して情報を出力する測定器に関する。
【背景技術】
【０００２】
従来、外部機器に対して情報を出力する測定器が知られている。
例えば、特許文献１に記載された測定器は、測定器および外部機器を接続する接続ケーブルを備えている。測定器は、この接続ケーブルを介して外部機器に対して計測データ（情報）を出力している。
また、例えば、特許文献２に記載された測定システムは、測定器に接続されることによって、測定データ（情報）を無線送信する子送受信機と、子送受信機にて送信された測定データを受信してコンピュータ（外部機器）へ送信する親送受信機とを備えている。測定器は、各送受信機を介してコンピュータに対して測定データを出力している。
【先行技術文献】
【特許文献】
【０００３】
【特許文献１】特開２００３−２５６９７４号公報
【特許文献２】特開２００９−０３３４２２号公報
【発明の概要】
【発明が解決しようとする課題】
【０００４】
しかしながら、特許文献１に記載された測定器は、測定器および外部機器の間に接続された接続ケーブルを備えているので、例えば、ノギスやマイクロメータなどのように、使用者が把持して測定を行う測定器に適用した場合には、測定に際して測定器を動かしにくくなってしまい、かえって測定しにくくなってしまうという問題がある。
また、特許文献２に記載された測定器は、測定データを無線送信するために子送受信機に電池を取り付けているので、測定器のサイズや重量が大きくなってしまうという問題がある。
【０００５】
本発明の目的は、利便性を損なうことなく、外部機器に対して情報を出力することができる測定器を提供することである。
【課題を解決するための手段】
【０００６】
本発明の測定器は、外部機器に対して情報を出力する情報出力部を有する測定器であって、情報出力部は、近距離無線通信を用いることによって、外部機器に対して情報を出力することを特徴とする。
【０００７】
ここで、近距離無線通信（Near Field Communication）とは、数ｃｍから１ｍ程度の極めて短距離で行われる非接触通信を言うものとし、例えば、ＲＦＩＤ（Radio Frequency IDentification）の技術を例示することができる。このＲＦＩＤは、タグと呼ばれるＩＣ（Integrated Circuit）をリーダにかざすことによって、タグに記憶された情報をリーダに読み込むことができる技術である。なお、タグの種類のうち、パッシブタグと呼ばれるタグは、リーダからの電波をエネルギー源として動作するので、電池を内蔵する必要はない。
また、情報とは、測定器にて測定された測定値に限らず、測定器の製造番号や、測定器の出荷時検査のデータなどの情報を含む測定器に関する全ての情報を言うものとする。
【０００８】
本発明によれば、情報出力部は、近距離無線通信を用いることによって、外部機器に対して情報を出力するので、測定器の利便性を損なうことなく、外部機器に対して情報を出力することができる。具体的には、近距離無線通信は、極めて短距離で行われる非接触通信であるので、ケーブルを必要とすることはなく、ノギスやマイクロメータなどのように、使用者が把持して測定を行う測定器に本発明を適用した場合であっても測定に際して測定器を動かしにくくなることはない。また、情報出力部は、パッシブタグのように、外部機器からの電波をエネルギー源として動作するように構成した場合には、電池を内蔵する必要がなく、測定器のサイズや重量が大きくなってしまうこともない。
【０００９】
本発明では、測定器は、情報出力部を有する制御手段を備え、制御手段は、測定器にて測定された少なくとも１つの測定値を記憶する記憶部と、測定器にて測定された測定値を記憶部に記憶させる契機となるトリガを生成するトリガ生成部とを有し、情報出力部は、トリガに基づいて記憶部に記憶された測定値を外部機器に対して出力することが好ましい。
【００１０】
ここで、近距離無線通信を用いることによって、外部機器に対して情報を出力する場合には、測定器にて測定をした後、この測定器と、外部機器とを近づけなければならないので、ノギスやマイクロメータなどのように、使用者が把持して測定を行う測定器に本発明を適用した場合には、測定器と、外部機器とを近づける際に手ブレなどの影響を受けて測定値が変わってしまうことがあるという問題がある。
本発明によれば、情報出力部は、測定器にて測定された測定値を記憶部に記憶させる契機となるトリガに基づいて記憶部に記憶された測定値を外部機器に対して出力するので、測定器と、外部機器とを近づける際に測定値が変わってしまうことはない。したがって、測定器の利便性を損なうことなく、外部機器に対して情報を出力することができる。
【００１１】
本発明では、測定器は、外部に露出して設けられたボタンを備え、トリガ生成部は、ボタンが使用者に操作されることによって、トリガを生成することが好ましい。
【００１２】
このような構成によれば、トリガ生成部は、ボタンが使用者に操作されることによって、トリガを生成するので、使用者は、意図したタイミングで測定値を記憶部に記憶させることができる。したがって、測定器の利便性を損なうことなく、外部機器に対して情報を出力することができる。
【００１３】
本発明では、制御手段は、音声の入力を受け付ける音声入力部を備え、トリガ生成部は、音声入力部にて音声の入力を受け付けたことによって、トリガを生成することが好ましい。
【００１４】
このような構成によれば、トリガ生成部は、音声入力部にて音声の入力を受け付けたことによって、トリガを生成するので、使用者は、測定器に触ることなく意図したタイミングで測定値を記憶部に記憶させることができる。したがって、測定器の利便性を損なうことなく、外部機器に対して情報を出力することができる。
【００１５】
本発明では、制御手段は、所定の間隔で測定値の変動を観測する測定値観測部を備え、トリガ生成部は、測定値観測部にて観測される測定値の変動が所定の期間ないことによって、トリガを生成することが好ましい。
【００１６】
このような構成によれば、トリガ生成部は、測定値観測部にて観測される測定値の変動が所定の期間ないことによって、トリガを生成するので、使用者は、測定を行う通常の動作をするだけで測定値を記憶部に記憶させることができる。したがって、測定器の利便性を損なうことなく、外部機器に対して情報を出力することができる。
なお、測定値の変動が所定の期間ないこととは、測定値の変動が一定の範囲内に収まった状態を所定の期間が経過するまで継続していることをいう。
【００１７】
本発明では、制御手段は、時間を測定する時間測定部を備え、トリガ生成部は、所定の時間が経過するごとにトリガを生成することが好ましい。
【００１８】
このような構成によれば、トリガ生成部は、所定の時間が経過するごとにトリガを生成するので、使用者は、測定を行うだけで自動的に測定値を記憶部に記憶させることができる。したがって、測定器の利便性を損なうことなく、外部機器に対して情報を出力することができる。
【００１９】
本発明では、情報出力部は、測定器の内部に設けられていることが好ましい。
【００２０】
このような構成によれば、情報出力部は、測定器の内部に設けられているので、情報出力部を測定器の外部に設けた場合と比較して、情報出力部の破損や脱落を抑制することができる。
【００２１】
本発明では、情報出力部は、外部機器に対して情報を出力することが可能な状態となったときに外部機器に対して情報を出力することが好ましい。
【００２２】
このような構成によれば、情報出力部は、外部機器に対して情報を出力することが可能な状態となったときに外部機器に対して情報を出力するので、測定器の利便性を損なうことなく、外部機器に対して情報を出力することができる。
【図面の簡単な説明】
【００２３】
【図１】本発明の第１実施形態に係るノギスの正面図および背面図
【図２】スライダの断面を模式的に示す図
【図３】ノギスおよび外部機器を示すブロック図
【図４】本発明の第２実施形態に係るノギスおよび外部機器を示すブロック図
【図５】本発明の第３実施形態に係るノギスおよび外部機器を示すブロック図
【図６】本発明の第４実施形態に係るノギスおよび外部機器を示すブロック図
【図７】本発明の第５実施形態に係るノギスおよび外部機器を示すブロック図
【図８】タグの取り付け位置の第１例を示す図
【図９】タグの取り付け位置の第２例を示す図
【発明を実施するための形態】
【００２４】
〔第１実施形態〕
以下、本発明の第１実施形態を図面に基づいて説明する。
図１は、本発明の第１実施形態に係るノギスの正面図および背面図である。具体的には、図１（Ａ）は、正面図を示し、図１（Ｂ）は、背面図を示している。
ノギス１は、図１に示すように、矩形板状に形成された本尺１１と、本尺１１の長手方向に沿って摺動自在に取り付けられた角筒状のスライダ１２とを備えた測定器である。
【００２５】
本尺１１は、長手方向におけるスライダ１２側の端部に形成された外側測定ジョー１１Ａ（図１（Ａ）左側）と、外側測定ジョー１１Ａの反対側に形成された内側測定ジョー１１Ｂ（図１（Ａ）右側）とを備えている。また、本尺１１の正面には、本尺目盛が設けられている（図示略）。
【００２６】
スライダ１２は、外側測定ジョー１１Ａに対応して設けられた外側測定ジョー１２Ａと、内側測定ジョー１１Ｂに対応して設けられた内側測定ジョー１２Ｂとを備えている。また、スライダ１２は、正面に設けられた表示部１３と、表示部１３の周囲に設けられた複数の機械式のスイッチ１２Ｃと、ノギス１の外部に露出するようにしてスライダ１２の右側面に設けられたボタン１２Ｄとを備えている。
表示部１３は、液晶ディスプレイを用いることによって情報を表示する。
【００２７】
ノギス１は、スライダ１２を本尺１１に対して摺動させて外側測定ジョー１１Ａ，１２Ａを被測定物の外側に当接させることによって、被測定物の外側の長さを測定することができる。また、ノギス１は、内側測定ジョー１１Ｂ，１２Ｂを被測定物の内側に当接させることによって、被測定物の内側の長さを測定することができる。そして、ノギス１は、被測定物を測定して得られた測定値などの情報を表示部１３に表示する。
【００２８】
図２は、スライダの断面を模式的に示す図である。具体的には、図２は、スライダ１２を図１の左右方向に沿って切断した断面を模式的に示す図である。
スライダ１２は、図２に示すように、表示部１３が設けられた表面の裏側、すなわち本尺１１および表示部１３の間に取り付けられたタグ１２Ｅを備えている。換言すれば、タグ１２Ｅは、ノギス１の内部に設けられている。このタグ１２Ｅは、前述したＲＦＩＤのパッシブタグであり、後述のリーダにかざすことによって、タグ１２Ｅに記憶された情報をリーダに読み込むことができる。なお、タグ１２Ｅは、リーダからの電波をエネルギー源として動作するので、電池を内蔵する必要はない。
【００２９】
図３は、ノギスおよび外部機器を示すブロック図である。
ノギス１は、図３に示すように、ＣＰＵ（Central Processing Unit）などによって構成されるとともに、所定のプログラムに従って情報処理を実行する制御手段２を備えている。制御手段２は、前述したタグ１２Ｅの他、プログラムやデータなどを記憶する記憶部２１と、ノギス１にて測定された測定値を記憶部２１に記憶させる契機となるトリガを生成するトリガ生成部２２とを備えている。
外部機器３は、タグ１２Ｅをかざすことによって、タグ１２Ｅに記憶された情報を読み込むリーダ３１を備えている。なお、外部機器３としては、例えば、ＰＣ（Personal Computer）などを採用することができる。
【００３０】
記憶部２１は、ノギス１にて測定された少なくとも１つの測定値を記憶する。
トリガ生成部２２は、スライダ１２のボタン１２Ｄが使用者に操作されることによって、トリガを生成する。したがって、ノギス１の使用者は、ノギス１にて被測定物を測定している状態でボタン１２Ｄを押下する都度、測定値を記憶部２１に記憶させていくことができる。
【００３１】
タグ１２Ｅは、外部機器３のリーダ３１にかざすことによって、トリガ生成部２２にて生成されたトリガに基づいて記憶部２１に記憶された測定値を全て外部機器３に対して出力する。すなわち、タグ１２Ｅは、近距離無線通信を用いることによって、外部機器３に対して情報を出力する情報出力部として機能している。したがって、ノギス１の使用者は、ノギス１にて被測定物の測定対象となる全ての部位の測定を終了した後、スライダ１２を外部機器３のリーダ３１に近づけることによって、全ての測定値を外部機器３に出力することができる。
【００３２】
このような本実施形態によれば、以下の作用・効果を奏することができる。
（１）タグ１２Ｅは、近距離無線通信を用いることによって、外部機器３に対して情報を出力するので、ノギス１の利便性を損なうことなく、外部機器３に対して情報を出力することができる。具体的には、近距離無線通信は、極めて短距離で行われる非接触通信であるので、ケーブルを必要とすることはなく、測定に際してノギス１を動かしにくくなることはない。また、タグ１２Ｅは、電池を内蔵する必要がなく、ノギス１のサイズや重量が大きくなってしまうこともない。
【００３３】
（２）タグ１２Ｅは、ノギス１にて測定された測定値を記憶部２１に記憶させる契機となるトリガに基づいて記憶部２１に記憶された測定値を外部機器３に対して出力するので、ノギス１と、外部機器３とを近づける際に測定値が変わってしまうことはない。したがって、ノギス１の利便性を損なうことなく、外部機器３に対して情報を出力することができる。
（３）トリガ生成部２２は、ボタン１２Ｄが使用者に操作されることによって、トリガを生成するので、使用者は、意図したタイミングで測定値を記憶部２１に記憶させることができる。したがって、ノギス１の利便性を損なうことなく、外部機器３に対して情報を出力することができる。
（４）タグ１２Ｅは、ノギス１の内部に設けられているので、タグ１２Ｅをノギス１の外部に設けた場合と比較して、タグ１２Ｅの破損や脱落を抑制することができる。
【００３４】
〔第２実施形態〕
以下、本発明の第２実施形態を図面に基づいて説明する。なお、以下の説明では、既に説明した部分については、同一符号を付してその説明を省略する。
図４は、本発明の第２実施形態に係るノギスおよび外部機器を示すブロック図である。
前記第１実施形態では、スライダ１２は、ボタン１２Ｄを備え、トリガ生成部２２は、ボタン１２Ｄが使用者に操作されることによって、トリガを生成していた。
これに対して、本実施形態では、制御手段２Ａは、音声の入力を受け付ける音声入力部２３を備え、トリガ生成部２２Ａは、音声入力部２３にて音声の入力を受け付けたことによって、トリガを生成する点で異なる。
【００３５】
具体的には、音声入力部２３は、スライダ１２に設けられたマイクロフォン（図示略）を介して所定の音声の入力を受け付けたか否かを判定する。例えば、音声入力部２３は、ノギス１の使用者によって発声された所定の単語（例えば、「Start」、「Measure」等）を認識するように構成することができる。なお、本実施形態では、音声入力部２３は、所定の単語を認識するように構成されているが、大きな音などを認識するように構成してもよい。要するに、音声入力部は、所定の音声の入力を受け付けたか否かを判定することができればよい。
そして、トリガ生成部２２Ａは、音声入力部２３にて所定の音声の入力を受け付けたときにトリガを生成する。
【００３６】
このような本実施形態においても、前記第１実施形態における（１），（２），（４）と同様の作用、効果を奏することができる他、以下の作用、効果を奏することができる。
（５）トリガ生成部２２Ａは、音声入力部２３にて音声の入力を受け付けたことによって、トリガを生成するので、使用者は、ノギス１に触ることなく意図したタイミングで測定値を記憶部２１に記憶させることができる。したがって、ノギス１の利便性を損なうことなく、外部機器３に対して情報を出力することができる。
【００３７】
〔第３実施形態〕
図５は、本発明の第３実施形態に係るノギスおよび外部機器を示すブロック図である。
前記第１実施形態では、スライダ１２は、ボタン１２Ｄを備え、トリガ生成部２２は、ボタン１２Ｄが使用者に操作されることによって、トリガを生成していた。
これに対して、本実施形態では、制御手段２Ｂは、所定の間隔で測定値の変動を観測する測定値観測部２４を備え、トリガ生成部２２Ｂは、測定値観測部２４にて観測される測定値の変動が所定の期間ないことによって、トリガを生成する点で異なる。
【００３８】
具体的には、測定値観測部２４は、所定の間隔（例えば、１００ｍｓｅｃごと）でサンプリングして測定値を取得することによって、測定値の変動を観測するように構成することができる。
そして、トリガ生成部２２Ｂは、これらの測定値の変動が一定の範囲内に収まった状態を所定の期間（例えば、１ｓｅｃ）が経過するまで継続した場合にトリガを生成するように構成することができる。
【００３９】
このような本実施形態においても、前記第１実施形態における（１），（２），（４）と同様の作用、効果を奏することができる他、以下の作用、効果を奏することができる。
（６）トリガ生成部２２Ｂは、測定値観測部２４にて観測される測定値の変動が所定の期間ないことによって、トリガを生成するので、使用者は、測定を行う通常の動作をするだけで測定値を記憶部２１に記憶させることができる。したがって、ノギス１の利便性を損なうことなく、外部機器３に対して情報を出力することができる。
【００４０】
〔第４実施形態〕
図６は、本発明の第４実施形態に係るノギスおよび外部機器を示すブロック図である。
前記第１実施形態では、スライダ１２は、ボタン１２Ｄを備え、トリガ生成部２２は、ボタン１２Ｄが使用者に操作されることによって、トリガを生成していた。
これに対して、本実施形態では、制御手段２Ｃは、時間を測定するタイマーなどを有する時間測定部２５を備え、トリガ生成部２２Ｃは、時間測定部２５にて測定された時間に基づいて所定の時間（例えば、５ｓｅｃごと）が経過するごとにトリガを生成する点で異なる。
【００４１】
このような本実施形態においても、前記第１実施形態における（１），（２），（４）と同様の作用、効果を奏することができる他、以下の作用、効果を奏することができる。
（７）トリガ生成部２２Ｃは、所定の時間が経過するごとにトリガを生成するので、使用者は、測定を行うだけで自動的に測定値を記憶部２１に記憶させることができる。したがって、ノギス１の利便性を損なうことなく、外部機器３に対して情報を出力することができる。
【００４２】
〔第５実施形態〕
図７は、本発明の第５実施形態に係るノギスおよび外部機器を示すブロック図である。
前記第１実施形態では、外部機器３は、リーダ３１を備え、タグ１２Ｅは、外部機器３のリーダ３１にかざすことによって、トリガ生成部２２にて生成されたトリガに基づいて記憶部２１に記憶された測定値を全て外部機器３に対して出力していた。
【００４３】
これに対して、本実施形態では、外部機器３Ｄは、リーダ３１と、このリーダ３１の電源をＯＮ／ＯＦＦするフットスイッチ３２とを備え、タグ１２Ｅは、外部機器３Ｄに対して情報を出力することが可能な状態となったときに外部機器３Ｄに対して情報を出力する点で異なる。換言すれば、タグ１２Ｅは、ノギス１の使用者がフットスイッチ３２を操作してリーダ３１の電源をＯＮにしたときに、近距離無線通信を用いることによって、リーダ３１に対して情報を出力することが可能な距離にあれば、リーダ３１に対して情報を出力する。
これによれば、ノギス１の使用者は、ノギス１の近くに外部機器３Ｄを設置し、フットスイッチ３２を操作してリーダ３１の電源をＯＮ／ＯＦＦすることによって、測定値を外部機器３Ｄに出力することができる。
【００４４】
このような本実施形態においても、前記第１実施形態における（１），（３），（４）と同様の作用、効果を奏することができる他、以下の作用、効果を奏することができる。
（８）ノギス１の使用者は、フットスイッチ３２を操作してリーダ３１の電源をＯＮ／ＯＦＦすることによって、測定値を外部機器３Ｄに出力することができるので、手ブレなどの影響を受けて測定値が変わってしまうことはない。したがって、ノギス１の利便性を損なうことなく、外部機器３Ｄに対して情報を出力することができる。
【００４５】
なお、本実施形態では、ノギス１の使用者は、フットスイッチ３２を操作してリーダ３１の電源をＯＮ／ＯＦＦすることによって、測定値を外部機器３Ｄに出力することができるので、ノギス１は、現在の測定値を外部機器３Ｄに出力するように構成されていてもよい。換言すれば、ノギス１は、ボタン１２Ｄと、記憶部２１と、トリガ生成部２２とを備えていなくてもよい。
【００４６】
〔実施形態の変形〕
なお、本発明は、前記各実施形態に限定されるものではなく、本発明の目的を達成できる範囲での変形、改良等は本発明に含まれるものである。
例えば、前記各実施形態では、測定器としてノギス１を例示していたが、マイクロメータなどの他の測定器であってもよい。要するに、本発明の測定器は、外部機器に対して情報を出力する情報出力部を有する測定器であればよい。
前記各実施形態では、情報出力部は、ＲＦＩＤを用いることによって、外部機器に対して情報を出力していたが、ＲＦＩＤとは異なる近距離無線通信の技術を用いることによって、外部機器に対して情報を出力してもよい。
【００４７】
前記各実施形態では、タグ１２Ｅは、外部機器３のリーダ３１にかざすことによって、トリガ生成部２２にて生成されたトリガに基づいて記憶部２１に記憶された測定値を全て外部機器３に対して出力していた。換言すれば、前記各実施形態では、情報は、測定器を外部機器にかざすことによって出力されていた。これに対して、情報は、外部機器を測定器にかざすことによって出力されてもよい。測定器および外部機器のどちらをかざすかについては、測定器および外部機器の大きさや重量に応じて設定すればよい。なお、大きさや重量の大きい測定器および外部機器をかざす必要がある場合には、リストバンドなどにタグやリーダを取り付けることによって、可搬性や利便性を向上させてもよい。
【００４８】
前記各実施形態では、ノギス１は、記憶部２１と、トリガ生成部２２，２２Ａ，２２Ｂ，２２Ｃとを備えていたが、これらを備えていなくてもよい。例えば、測定器は、情報出力部にて情報を出力するときに測定値を取得し、この測定値を情報として外部機器に対して出力するようにしてもよい。要するに、測定器は、外部機器に対して情報を出力する情報出力部を有していればよい。
【００４９】
前記各実施形態では、トリガ生成部２２は、ボタンが使用者に操作されることによって、トリガを生成し、トリガ生成部２２Ａは、音声入力部２３にて音声の入力を受け付けたことによって、トリガを生成し、トリガ生成部２２Ｂは、測定値観測部２４にて観測される測定値の変動が所定の期間ないことによって、トリガを生成し、トリガ生成部２２Ｃは、所定の時間が経過するごとにトリガを生成していたが、トリガ生成部は、これらとは異なるタイミングでトリガを生成してもよい。
【００５０】
図８は、タグの取り付け位置の第１例を示す図である。図９は、タグの取り付け位置の第２例を示す図である。
前記各実施形態では、タグ１２Ｅは、表示部１３が設けられた表面の裏側、すなわち本尺１１および表示部１３の間に取り付けられていた。これに対して、タグ１２Ｅは、図８に示すように、スライダ１２の内部に埋め込まれていてもよく、図９に示すように、スライダ１２の内部に固定された基板１４に取り付けられていてもよい。
また、前記各実施形態では、タグ１２Ｅは、ノギス１の内部に設けられていたが、外部に設けられていてもよい。
【産業上の利用可能性】
【００５１】
以上のように、本発明は、測定器に利用でき、特に外部機器に対して情報を出力する測定器に好適に利用できる。
【符号の説明】
【００５２】
１              ノギス（測定器）
２〜２Ｃ        制御手段
３，３Ｄ        外部機器
１１            本尺
１１Ａ，１２Ａ  外側測定ジョー
１１Ｂ，１２Ｂ  内側測定ジョー
１２            スライダ
１２Ｃ          スイッチ
１２Ｄ          ボタン
１２Ｅ          タグ（情報出力部）
１３            表示部
１４            基板
２１            記憶部
２２〜２２Ｃ    トリガ生成部
２３            音声入力部
２４            測定値観測部
２５            時間測定部
３１            リーダ
３２            フットスイッチ
【図１】
2015153135.tif 000003
【図２】
2015153135.tif 000004
【図３】
2015153135.tif 000005
【図４】
2015153135.tif 000006
【図５】
2015153135.tif 000007
【図６】
2015153135.tif 000008
【図７】
2015153135.tif 000009
【図８】
2015153135.tif 000010
【図９】
2015153135.tif 000011